(57)【要約】【課題】撮影レンズと表示部の両方を保護可能で小型化を損なわない携帯端末装置を提供すること。【解決手段】デジタルカメラ１０は、撮影レンズ１６と表示パネル１４とを有しており、表示パネル１４は、収容時には表示面と撮影レンズ１６とが対向して撮影レンズ１６を覆う位置に収容され、使用時には収容位置からスライドすることでカメラ本体１１から突出し、表示パネル１４の表示面と撮影レンズ１６の双方が露出する。【選択図】  図２
2004349809.tif 000002
【特許請求の範囲】
【請求項１】
撮影部と表示部とを有する携帯端末装置であって、
前記表示部は、収容時には表示面と撮影レンズとが対向して当該撮影レンズを覆う位置に収容され、使用時には前記携帯端末装置本体から突出して、前記表示面と前記撮影レンズの双方が露出する携帯端末装置。
【請求項２】
請求項１記載の携帯端末装置であって、
前記表示部は、前記撮影レンズを覆う位置からスライドして、前記携帯端末装置本体から突出する携帯端末装置。
【請求項３】
請求項１記載の携帯端末装置であって、
前記表示部は、前記撮影レンズを覆う位置から開いて、前記携帯端末装置本体から突出する携帯端末装置。
【請求項４】
請求項１〜３のいずれか記載の携帯端末装置であって、
前記表示部は、前記携帯端末装置本体より突出した状態から、前記携帯端末装置本体を軸にして回転可能である携帯端末装置。
【請求項５】
請求項１〜４のいずれか記載の携帯端末装置であって、
前記表示面が被写体に向いている撮影時において、前記被写体を照明するために前記表示面の輝度を上げる制御を行う表示制御手段を備える携帯端末装置。
【請求項６】
請求項１〜５のいずれか記載の携帯端末装置であって、
前記携帯端末装置本体から前記表示部が突出されると、電源を起動する制御を行う電源制御手段を備える携帯端末装置。
【請求項７】
請求項１〜６のいずれか記載の携帯端末装置であって、
撮影を行うためのレリーズボタンを備え、
前記表示部は、前記レリーズボタンの押下方向に突出する携帯端末装置。
【請求項８】
撮影部と、前記撮影部で撮影される画像を表示する表示部とを有する携帯端末装置であって、
前記表示部の表示面が被写体に向いている撮影時において、画角が確定されてから前記被写体の撮影が終了されるまでの間、前記被写体を照明するために前記表示面の輝度を上げる制御を行う表示制御手段を備える携帯端末装置。
【発明の詳細な説明】
【０００１】
【発明の属する技術分野】
本発明は、表示部と撮影部とを有する携帯端末装置に関する。
【０００２】
【従来の技術】
従来、レンズ部に保護カバーを設けたデジタルカメラが存在する。また、ＬＣＤ部に保護バリアを設けたデジタルカメラが提案されている（例えば、特許文献１参照）。また、カメラの近傍に、被写体を照明する照明部を配し、暗い場所等でも、良好な撮影を行うことができる携帯端末装置が存在する。
【０００３】
【特許文献１】
特開平１０−３０４２２９号公報
【０００４】
【発明が解決しようとする課題】
デジタルカメラのように、ＬＣＤ部と撮影部とを有する携帯端末装置では、その携帯性から、使用しない時にＬＣＤ部と撮影レンズとを保護することが要望されており、一方で、小型化の要求もある。特許文献１に記載されたデジタルカメラでは、ＬＣＤ部を保護することができるが、レンズ部の保護は行われていない。ＬＣＤ部と同様にレンズ部に保護バリアを設けることも可能だが、これでは薄型化や小型化という要求に応えることは難しい。
【０００５】
また、上記携帯端末装置では、被写体を照明する光が比較的強いものであるため、暗所においてマクロ撮影等を行う場合には、良好な画像が得られない。
【０００６】
本発明は、上記事情に鑑みてなされたものであり、撮影レンズと表示部の両方を保護可能で小型化を損なわない携帯端末装置を提供することを目的とする。
【０００７】
また、本発明は、撮影部を持つ携帯端末装置であって、その撮影モードによらずに良好な画像を得ることが可能な携帯端末装置を提供することを目的とする。
【０００８】
【課題を解決するための手段】
本発明の携帯端末装置は、撮影部と表示部とを有する携帯端末装置であって、前記表示部が、収納時には表示面と撮影レンズとが対向して当該撮影レンズを覆う位置に収納され、使用時には前記携帯端末装置本体から突出して、前記表示面と前記撮影レンズの双方が露出する。
【０００９】
この構成により、小型化を損なうことなく、表示部の表示面と撮影レンズの双方を保護することができる。又、表示部を突出させることで、表示面と撮影レンズとが露出するため、撮影時等にも問題なく使用することができる。
【００１０】
本発明の携帯端末装置は、撮影部と、前記撮影部で撮影される画像を表示する表示部とを有する携帯端末装置であって、前記表示部の表示面が被写体に向いている撮影時において、画角が確定されてから前記被写体の撮影が終了されるまでの間、前記被写体を照明するために前記表示面の輝度を上げる制御を行う表示制御手段を備える。
【００１１】
この構成により、画角を確定してから撮影が終了するまで、表示部が照明の役割を果たすため、ストロボ等による強い照明の代わりに表示部を利用することで、暗所等におけるマクロ撮影等においても、良好な画像を得ることができる。また、画角を確定するまでは、表示部によって画角を確認することが可能なため、自分撮り等を行う場合でも、その操作性を向上させることができる。
【００１２】
【発明の実施の形態】
図１は、本発明の第１実施形態を説明するためのデジタルカメラの外観斜視を示す図である。図２は、図１に示すデジタルカメラの使用時を正面側から見た外観斜視を示す図である。図３は、図１に示すデジタルカメラの使用時を背面側から見た外観斜視を示す図である。図４は、図１に示すデジタルカメラを用いてマクロ撮影や自分撮りを行う場合の外観斜視を示す図である。図５は、図１に示すデジタルカメラの内部の概略構成を示す図である。
【００１３】
図１に示すように、デジタルカメラ１０は、カメラ本体１１の上面１１ａにレリーズボタン１２が配されており、カメラ本体１１の前面１１ｂの一部に収容部１３が形成されている。そして、収容部１３に、表示パネル１４および表示パネルガイド１５が収容されている。
【００１４】
収容部１３には、表示パネル１４によって覆われる位置に、撮影レンズ（図２に示される）１６を配している。撮影レンズ１６は、沈胴型のレンズであり、デジタルカメラ１０の使用時には被写体方向に移動可能となっている。
【００１５】
撮影画像等を表示する表示部（図３に示される）１７は、表示パネル１４が収容部１３に収容されている収容時に、撮影レンズ１６と対向するようにして撮影レンズ１６を覆うようになっている。このため、表示パネル１４の収容時において、撮影レンズ１６および表示部１７の双方は、外部に露出されることなく保護される。
【００１６】
表示パネル１４は、その使用時には、収容位置からスライドしてカメラ本体１１から突出する。この動作は、表示パネル１４を指で引き上げること等により行なわれる。
【００１７】
尚、表示パネル１４を、その収容位置において収容部１３の側壁１３ａ（図２に示される）によりロックしておき、そのロックを解除させるようなロック解除ボタンを収容部１３の側部に配しておいても良い。この場合、表示パネル１４は、ばね機構等を介して収容位置に収容されるようにする。このようにすれば、ロック解除ボタンを押すことによって、ばね機構に蓄積されている弾性反発力により、表示パネル１４が瞬間的に突出されるため、撮影時の動作を機敏に行うことができる。
【００１８】
図２に示すように、デジタルカメラ１０の使用時には、表示パネル１４がスライドしてカメラ本体１１から突出することにより、撮影レンズ１６が露出すると同時に、内部電源が投入される。
【００１９】
電源スイッチ（不図示）は、収容部１３の側壁１３ａに内蔵されており、表示パネル１４や表示パネルガイド１５が突出方向に移動を開始したときにオンとなる。また、電源スイッチは、表示パネル１４や表示パネルガイド１５が突出した状態から収容状態になった際にオフとなるようになっている。
【００２０】
尚、表示パネルガイド１５の端部に磁石を内蔵しておき、表示パネル１４や表示パネルガイド１５が完全に突出した状態で、表示パネルガイド１５の端部と接するカメラ本体１１の筐体内にホール素子を配しておく構成としても良い。この場合は、表示パネルガイド１５の端部に内蔵された磁石をホール素子が検出した時に、制御部２７がデジタルカメラ１０の電源をオンにする制御を行う。
【００２１】
表示パネル１４の下端左側には、表示パネル１４の表示パネルガイド１５に対する位置関係を検出するために、ホール素子２５が配されている。表示部１７は、撮影レンズ１６と撮影部２８を介して撮影されたスルー画像や撮影画像等を制御部２７の制御によって表示する。
【００２２】
表示パネルガイド１５は、枢軸１８を介して表示パネル１４に結合されている。表示パネルガイド１５は、表示パネル１４とともに移動してきたときに、収容部１３の上端部において移動を停止する。移動を停止すると、表示パネルガイド１５の中央部からは枢軸１８が引き出される。また、表示パネルガイド１５の右側端部には、永久磁石１５ａが配されており、これがホール素子２５の検出対象の磁石となる。
【００２３】
枢軸１８は、表示パネル１４および表示パネルガイド１５が収容状態にあるときに、表示パネルガイド１５内に収容されており、表示パネルガイド１５が収容部１３の上端部において移動を停止したときに、表示パネル１４の上方への移動により引き出されるようになっている。
【００２４】
表示パネル１４は、枢軸１８を中心に回転自在になっている。表示パネル１４は、収容状態から収容部１３の側壁１３ａに沿ってスライドすることにより、カメラ本体１１から突出する。この状態において、表示部１７は、撮影レンズ１６の撮影方向とは反対面の背面１１ｃ側に向いている。
【００２５】
図３に示すように、デジタルカメラ１０の使用時には、突出した表示パネル１４の表示部１７に表示されている画像を見ながら撮影が行なわれる。撮影は、レリーズボタン１２が押されることにより行なわれる。カメラ本体１１の背面１１ｃには、デジタルカメラ１０の各種操作や設定を行うためのキースイッチ１９や十字キー２０等が配されている。これらスイッチに加えて、文字入力キー等を配することもできる。
【００２６】
図４に示すように、デジタルカメラ１０を用いて自分撮りを行う場合、図２において、表示パネル１４をカメラ本体１１から突出させた状態で、表示パネル１４を枢軸１８の軸周りにほぼ１８０度回すことによって、表示部１７を被写体に向ける。そして、表示部１７に表示されている画像を直接見ながら画角等を決め、レリーズボタン１２を押すことにより、自分撮りを行う。
【００２７】
次に、デジタルカメラ１０を用いてマクロ撮影を行う場合について説明する。
図５に示すように、デジタルカメラ１０は、ホール素子２５、ボタン検出部２６、制御部２７、撮影部２８、及び表示部１７等を備えている。尚、図５では、マクロ撮影時の説明に必要な構成のみを示し、その他のデジタルカメラ１０の構成については図示を省略している。
【００２８】
ホール素子２５は、表示パネルガイド１５に内蔵された磁石１５ａを検出し、検出信号を制御部２７に出力する。ボタン検出部２６は、レリーズボタン１２が半押しされ、画角の確定が行われた状態（以下、この状態をＳ１という）と、レリーズボタン１２が全押しされ、被写体の撮影が行われた状態（以下、この状態をＳ２という）とを段階的に検出し、その検出信号を制御部２７に出力する。
【００２９】
撮影部２８は、ＣＣＤ等の撮像素子により撮影レンズ１６を介して被写体を撮影し、撮影した画像データに所定の処理を施して制御部２７に出力する。制御部２７は各部を制御する。
【００３０】
デジタルカメラ１０を用いてマクロ撮影を行う場合、図３のように表示パネル１４をカメラ本体１１から突出させた状態または図４のように表示パネル１４を回転させた状態にする。そして、いずれの場合も、表示部１７に表示されているスルー画像を見ながら画角等を決めて撮影を行う。
【００３１】
このときのデジタルカメラ１０の動作について説明する。
図６は、デジタルカメラ１０のマクロ撮影時における動作を説明するためのフローを示す図である。
マクロモードが設定されると、制御部２７は、撮影部２８で撮影されている画像を表示部１７に表示する制御を行う。これにより、表示部１７にはスルー画像が表示される（Ｓ６１）。
【００３２】
その後、レリーズボタン１２が半押しされると（Ｓ６２）、制御部２７は、ホール素子２５から検出信号が出力されているか否かを判定する（Ｓ６３）。
【００３３】
判定の結果、検出信号が出力されていない場合（Ｓ６３：ＮＯ）、制御部２７は、マクロ撮影が図３に示した状態で行われていると判断し、撮影部２８で撮影されている画像を表示部１７に表示する制御を継続する。これにより、表示部１７にはスルー画像が継続して表示される（Ｓ６７）。
【００３４】
一方、検出信号が出力されていた場合（Ｓ６３：ＹＥＳ）、制御部２７は、マクロ撮影が図４に示した状態で行われていると判断し、スルー画像の表示を止めさせ、代わりに、表示部１７の全面の輝度を上げる制御を行う。例えば、表示部１７を白色表示にして輝度を上げる等して、表示部１７を明るく点灯させる制御を行う。これにより、表示部１７には白色画面が表示される（Ｓ６４）。
【００３５】
その後、レリーズボタン１２が全押しされると、撮影部２８により被写体の撮影が行われる。撮影終了後、制御部２７は、撮影部２８により撮影され処理された撮影画像を表示部１７に表示する制御を行う。そして、表示部１７の表示は白色表示またはスルー画像表示から、撮影された画像の表示に切替わる（Ｓ６６）。その後、Ｓ６１に移行し、表示部１７には再びスルー画像が表示される。
【００３６】
以上のように、本実施形態のデジタルカメラ１０によれば、表示パネル１４が、撮影レンズ１６を覆った状態で収容される。このため、撮影レンズの配置面の反対面に表示パネルを配している一般のデジタルカメラに比べ、撮影レンズ１６の反対側の面に多くのスイッチを配することができる。したがって、デジタルカメラ１０の設計の自由度を向上させることができる。
【００３７】
又、撮影レンズ１６を覆うバリアと表示部１７を覆うバリアとの２個のバリアの移動スペースを独立して設ける必要がなく、２個のバリアを移動させる機構を独立して配する必要もない。このため、デジタルカメラ１０の小型化および低コスト化を図ることができる。
【００３８】
また、デジタルカメラ１０は、表示パネル１４をカメラ本体１１から突出させて使用する。このため、カメラ本体１１を手で持つ際に、誤って表示パネル１４の表示部１７を指で押さえてしまうようなことが少なくなる。したがって、表示部１７に指紋をつけてしまい、それをきれいにする等の労力を減らすことができる。
【００３９】
また、表示パネル１４は、その使用時において、レリーズボタン１２の押下方向、つまりレリーズボタン１２の配置面１１ａ側に突出する。このため、ユーザが撮影を行う場合には今までのデジタルカメラと同様、カメラ本体１１を両手でしっかり固定して撮影を行うことができる。したがって、従来からのデジタルカメラの操作性を維持しながら、上記のような効果を得ることができる。
【００４０】
また、デジタルカメラ１０の使用時において、表示パネル１４の方向を自由に変更することができるため、風景を撮影する際や自分撮りを行う際等、状況に応じた使い方が可能となる。
【００４１】
また、表示パネル１４の突出と同時にデジタルカメラ１０の電源が投入されるため、電源スイッチを別所に配したものと比べて、デジタルカメラ１０の設計の自由度を向上させることができる。
【００４２】
また、フラッシュ等では光量が多すぎ、自然光では光量が足りないような場合（マクロ撮影等）において、表示部１７を照明に用いて被写体に向けることにより、表示部１７から照明される光量によって好ましいマクロ撮影を行うことができる。
【００４３】
また、図４に示したような状態でマクロ撮影を行う場合、画角を決定するまでは、表示部１７にスルー画像が表示されるため、ユーザはこの表示を確認しながら画角を決定することができる。一方、ユーザが画角を決め、レリーズボタン１２を半押しすると、表示部１７には白色画面が表示され、これが被写体を撮影する際の照明の役割を果たすことになる。したがって、自分をマクロ撮影するような場合でも、その操作がしやすくなると共に、高画質の画像を得ることが可能となる。
【００４４】
（第２実施形態）
本実施形態のデジタルカメラは、図１に示したデジタルカメラ１０において、表示パネル１４をスライドさせてカメラ本体１１から突出させるのではなく、表示パネル１４を開くことで、カメラ本体１１から突出させる構成としたものである。このため、以下の説明において第１実施形態と重複する構成・作用を有する部材等については、図中に同一符号を付して説明する。
【００４５】
図７は、本発明の第２実施形態を説明するためのデジタルカメラの外観斜視を示す図である。図８は、図７に示すデジタルカメラの使用時を正面側から見た外観斜視を示す図である。図９は、図７に示すデジタルカメラの使用時を背面側から見た外観斜視を示す図である。
【００４６】
図７に示したように、デジタルカメラ３０は、収容部１３に、表示パネルガイド３１を上部に配した表示パネル３２が収容されている。
【００４７】
表示パネル３２は、その使用時に、表示パネルガイド３１を中心に開いてカメラ本体１１から突出する。この動作は、表示パネル３２を指で引き起こすことにより行なわれる。また、第１実施形態と同様、表示パネル３２が開くと、デジタルカメラ３０の電源がオンになるようになっている。表示パネル３２の表示パネルガイド３１側の端部には、表示パネル３２の表示パネルガイド３１に対する位置関係を検出するために、ホール素子３５が配されている。
【００４８】
図８に示すように、デジタルカメラ３０の使用時には、表示パネル３２が収容位置から開いてカメラ本体１１から突出することにより、撮影レンズ１６が露出する。
【００４９】
表示パネルガイド３１は、収容部１３の上端部において回転自在に配されており、枢軸３３を介して表示パネル３２に結合されている。表示パネルガイド３１は、表示パネル３２が開いてきたときに、枢軸３３が上部に配されたところで回転を停止する。回転を停止すると、表示パネルガイド３１の中央部からは枢軸３３が引き出される。また、表示パネルガイド３１の右側端部には、永久磁石３１ａが配されており、これがホール素子３５の検出対象の磁石となる。
【００５０】
枢軸３３は、表示パネル３２および表示パネルガイド３１が収容状態にあるときに、表示パネルガイド３１内に収容されていて隠れており、表示パネルガイド３１が収容部１３の上端部において移動を停止したときに、表示パネル３２の上方への移動により引き出されるようになっている。
【００５１】
表示パネル３２は、収容位置から開くことにより、カメラ本体１１から突出する。このため、表示部３４が、撮影レンズ１６の撮影方向と同一の方向に向いた状態となる。ここで、枢軸３３を中心に表示パネル３２をほぼ１８０度回転することにより、デジタルカメラ３０の通常の使用状態となる。
【００５２】
デジタルカメラ３０の通常の使用時には、図９に示すように、図８に示した状態枢軸３３を中心に表示パネル３２をほぼ１８０度回転させ、表示部３４に表示されている画像を見ながら撮影を行う。尚、自分撮りを行う場合は、図８に示した状態で表示部３４に表示されている自分の画像を見ながら撮影を行う。
【００５３】
デジタルカメラ３０のマクロ撮影時の動作は、第１実施形態で説明したデジタルカメラ１０と同様であり、ホール素子３５からの検出信号の有無によって、デジタルカメラ３０内の制御部が、表示部３４の表示を白色表示にするか否かを決定する。デジタルカメラ３０では、図８に示した状態でマクロ撮影が行われている場合、Ｓ１で表示部３４を白色表示にする制御を行い、図９に示した状態でマクロ撮影が行われている場合、Ｓ１で表示部３４を白色表示にする制御を行わない。
【００５４】
以上のように、本実施形態のデジタルカメラ３０によれば、表示パネル３２が、撮影レンズ１６を覆った状態で収容される。このため、撮影レンズの配置面の反対面に表示パネルを配している一般のデジタルカメラに比べ、撮影レンズ１６の反対側の面に多くのスイッチを配することができる。したがって、デジタルカメラ３０の設計の自由度を向上させることができる。
【００５５】
又、撮影レンズ１６を覆うバリアと表示部３４を覆うバリアとの２個のバリアの移動スペースを独立して設ける必要がなく、２個のバリアを移動させる機構を独立して配する必要もない。このため、デジタルカメラ３０の小型化および低コスト化を図ることができる。
【００５６】
また、デジタルカメラ３０は、表示パネル３２をカメラ本体１１から突出させて使用する。このため、カメラ本体１１を手で持つ際に、誤って表示パネル３２の表示部３４を指で押さえてしまうようなことが少なくなる。したがって、表示部３４に指紋をつけてしまい、それをきれいにする等の労力を減らすことができる。
【００５７】
また、表示パネル３２は、その使用時において、レリーズボタン１２の押下方向、つまりレリーズボタン１２の配置面１１ａ側に突出する。このため、ユーザが撮影を行う場合には今までのデジタルカメラと同様、カメラ本体１１を両手でしっかり固定して撮影を行うことができる。したがって、従来からのデジタルカメラの操作性を維持しながら、上記のような効果を得ることができる。
【００５８】
また、デジタルカメラ３０の使用時において、表示パネル３２の方向を自由に変更することができるため、風景を撮影する際や自分撮りを行う際等、状況に応じた使い方が可能となる。
【００５９】
また、表示パネル３２の突出と同時にデジタルカメラ３０の電源が投入されるため、電源スイッチを別所に配したものと比べて、デジタルカメラ３０の設計の自由度を向上させることができる。
【００６０】
また、フラッシュ等では光量が多すぎ、自然光では光量が足りないような場合（マクロ撮影等）において、表示部３４を照明に用いて被写体に向けることにより、表示部３４から照明される光量によって好ましいマクロ撮影を行うことができる。
【００６１】
また、図８に示したような状態でマクロ撮影を行う場合、画角を決定するまでは、表示部３４にスルー画像が表示されるため、ユーザはこの表示を確認しながら画角を決定することができる。一方、ユーザが画角を決め、レリーズボタン１２を半押しすると、表示部３４には白色画面が表示され、これが被写体を撮影する際の照明の役割を果たすことになる。したがって、自分をマクロ撮影するような場合でも、その操作がしやすくなると共に、高画質の画像を得ることが可能となる。
【００６２】
尚、第１及び第２実施形態では、表示パネル１４及び３２によって撮影レンズを保護可能となっているが、表示パネル１４及び３２によって覆われる位置にストロボ等を配するようにしても良い。
【００６３】
また、第１〜第３実施形態では、表示パネル１４の突出方向をレリーズボタン１２の配置面側（上方向）としているが、表示パネル１４を、カメラ本体１１の横方向に突出させるようにしても良い。
【００６４】
また、第１〜第３実施形態では、デジタルカメラを例にして説明したが、ＬＣＤ等の表示部と撮影部とを有するものであれば、携帯電話機やＰＤＡ等でも構わない。
【００６５】
【発明の効果】
本発明によれば、撮影レンズと表示部の両方を保護可能で小型化を損なわない携帯端末装置を提供することができる。
【図面の簡単な説明】
【図１】本発明の第１実施形態を説明するためのデジタルカメラの外観斜視を示す図
【図２】本発明の第１実施形態を説明するためのデジタルカメラの使用時を正面側から見た外観斜視を示す図
【図３】本発明の第１実施形態を説明するためのデジタルカメラの使用時を背面側から見た外観斜視を示す図
【図４】本発明の第１実施形態を説明するためのデジタルカメラを用いてマクロ撮影や自分撮りを行う場合の外観斜視を示す図
【図５】本発明の第１実施形態を説明するためのデジタルカメラの内部構成を示す図
【図６】本発明の第１実施形態を説明するためのデジタルカメラのマクロ撮影時における動作を説明するためのフローを示す図
【図７】本発明の第２実施形態を説明するためのデジタルカメラの外観斜視を示す図
【図８】本発明の第２実施形態を説明するためのデジタルカメラの使用時を正面側から見た外観斜視を示す図
【図９】本発明の第２実施形態を説明するためのデジタルカメラの使用時を背面側から見た外観斜視を示す図
【符号の説明】
１０  デジタルカメラ
１１  カメラ本体
１４  表示パネル
１６  撮影レンズ
【図１】
2004349809.tif 000003
【図２】
2004349809.tif 000004
【図３】
2004349809.tif 000005
【図４】
2004349809.tif 000006
【図５】
2004349809.tif 000007
【図６】
2004349809.tif 000008
【図７】
2004349809.tif 000009
【図８】
2004349809.tif 000010
【図９】
2004349809.tif 000011